【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群は、物体側より順に、負レンズ、負レンズ、正レンズからなり、前記第３レンズ群は１枚のレンズからなり、前記第１レンズ群に下記条件式（１）を満足する非球面を有するレンズを有し、かつ、前記第３レンズ群に下記条件式（２）を満足する非球面を有するレンズを有することを特徴とするズームレンズ。
０＜（１／ｒa1−１／ｒm1）ｈ1 ／（ｎa1−ｎa1’）＜１  ・・・（１）
−１＜（１／ｒa3−１／ｒm3）ｈ3 ／（ｎa3−ｎa3’）＜０・・・（２）
ただし、ｒa1は第１レンズ群に配置されている非球面Ｉの近軸曲率半径、ｒm1は、光軸と第１レンズ群に配置されている該非球面Ｉの交点から、該非球面Ｉ上の軸上光束の最大径と軸外光束を含めた有効径の間の任意の点(1) における法線が光軸に最も近づく光軸上の点までの距離、ｎa1は該非球面Ｉの物体側の屈折率、ｎa1’は該非球面Ｉの像側の屈折率、ｈ1 は前記点(1) の光軸からの高さ、ｒa3は第３レンズ群に配置されている非球面III の近軸曲率半径、ｒm3は、光軸と第３レンズ群に配置されている該非球面III の交点から、該非球面III 上の軸上光束の最大径と軸外光束を含めた有効径の間の任意の点(3) における法線が光軸に最も近づく光軸上の点までの距離、ｎa3は該非球面III の物体側の屈折率、ｎa3’は該非球面III の像側の屈折率、ｈ3 は前記点(3) の光軸からの高さである。
【請求項２】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第３レンズ群は１枚のレンズからなり、前記第１レンズ群に、条件式（３）を満足する球面レンズの凹面に樹脂を薄く塗布することによって非球面を形成したレンズを用いたことを特徴とするズームレンズ。
−０. １＜（１／ｒa1’−１／ｒm1）ｈ1 ／（ｎa1−ｎa1’）＜１
・・・（３）
ただし、ｒa1’は第１レンズ群に配置されている非球面Ｉを形成する樹脂を塗布する凹面の近軸曲率半径、ｒm1は、光軸と第１レンズ群に配置されている該非球面Ｉの交点から、該非球面上の軸上光束の最大径と軸外光束を含めた有効径の間の任意の点(1) における法線が光軸に最も近づく光軸上の点までの距離、ｎa1は該非球面の物体側の屈折率、ｎa1’は該非球面の像側の屈折率、ｈ1 は前記点(1) の光軸からの高さある。
【請求項３】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群は、物体側より順に、負レンズ、空気、負レンズ、空気、正レンズからなり、前記第３レンズ群は１枚のレンズからなり、前記第２レンズ群は、物体側より順に、正レンズ、正負の接合レンズ、正レンズで構成され、以下の条件式（４）を満たすことを特徴とするズームレンズ。
０．４＜ｆ3 ／ｆt ＜２．５                            ・・・（４）
ただし、ｆ3 は第３レンズ群の焦点距離、ｆt は望遠端での全系での焦点距離である。
【請求項４】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群は、物体側より順に、負レンズ、空気、負レンズ、空気、正レンズからなり、前記第３レンズ群は１枚のレンズからなり、前記第２レンズ群は、物体側より順に、正レンズ、正負の接合レンズ、正レンズで構成され、以下の条件式（５）を満たすことを特徴とするズームレンズ。
１. ２＜ｆ1-N ／ｆ2-N ＜２. ７                        ・・・（５）
ただし、ｆ1-N は第１レンズ群の最も物体側の凹レンズの焦点距離、ｆ2-N は第１レンズ群の物体側より２番目の凹レンズの焦点距離である。
【請求項５】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群は、物体側より順に、負レンズ、空気、負レンズ、空気、正レンズからなり、前記第３レンズ群は１枚のレンズからなり、前記第２レンズ群は、物体側より順に、正レンズ、正負の接合レンズ、正レンズで構成され、以下の条件式（６）を満たすことを特徴とするズームレンズ。
２＜ｆ3 ／ＩＨ＜１２                                  ・・・（６）
ただし、ｆ3 は第３レンズ群の焦点距離、ＩＨは像高である。
【請求項６】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群は、物体側より順に、負レンズ、空気、負レンズ、空気、正レンズからなり、前記第３レンズ群は１枚のレンズからなり、前記第２レンズ群の最も物体側の面に条件式（７）を満足する非球面を用い、かつ、以下の条件式（４）を満たすことを特徴とするズームレンズ。
−１＜（１／ｒa2−１／ｒm2）ｈ2 ／（１−ｎa2’）＜０  ・・・（７）
０．４＜ｆ3 ／ｆt ＜２．５                            ・・・（４）
ただし、ｒa2は第２レンズ群の最も物体側に配置されている非球面ＩＩの近軸曲率半径、ｒm2は、光軸と第２レンズ群に配置されている該非球面ＩＩの交点から、該非球面ＩＩ上の軸上光束の最大径の０．７倍の径と軸上光束の最大径の間の任意の点(2) における法線が光軸に最も近づく光軸上の点までの距離、ｎa2’は第２レンズ群の最も物体側に配置されているレンズの屈折率、ｈ2 は前記点(2) の光軸からの高さ、ｆ3 は第３レンズ群の焦点距離、ｆt は望遠端での全系での焦点距離である。
【請求項７】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群は、物体側より順に、負レンズ、空気、負レンズ、空気、正レンズからなり、前記第３レンズ群は１枚のレンズからなり、前記第２レンズ群の最も物体側の面に条件式（７）を満足する非球面を用い、かつ、以下の条件式（５）を満たすことを特徴とするズームレンズ。
−１＜（１／ｒa2−１／ｒm2）ｈ2 ／（１−ｎa2’）＜０  ・・・（７）
１. ２＜ｆ1-N ／ｆ2-N ＜２. ７                        ・・・（５）
ただし、ｒa2は第２レンズ群の最も物体側に配置されている非球面ＩＩの近軸曲率半径、ｒm2は、光軸と第２レンズ群に配置されている該非球面ＩＩの交点から、該非球面ＩＩ上の軸上光束の最大径の０．７倍の径と軸上光束の最大径の間の任意の点(2) における法線が光軸に最も近づく光軸上の点までの距離、ｎa2’は第２レンズ群の最も物体側に配置されているレンズの屈折率、ｈ2 は前記点(2) の光軸からの高さ、ｆ1-N は第１レンズ群の最も物体側の凹レンズの焦点距離、ｆ2-N は第１レンズ群の物体側より２番目の凹レンズの焦点距離である。
【請求項８】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群は、物体側より順に、負レンズ、空気、負レンズ、空気、正レンズからなり、前記第３レンズ群は１枚のレンズからなり、前記第２レンズ群の最も物体側の面に条件式（７）を満足する非球面を用い、かつ、以下の条件式（６）を満たすことを特徴とするズームレンズ。
−１＜（１／ｒa2−１／ｒm2）ｈ2 ／（１−ｎa2’）＜０  ・・・（７）
２＜ｆ3 ／ＩＨ＜１２                                  ・・・（６）
ただし、ｒa2は第２レンズ群の最も物体側に配置されている非球面ＩＩの近軸曲率半径、ｒm2は、光軸と第２レンズ群に配置されている該非球面ＩＩの交点から、該非球面ＩＩ上の軸上光束の最大径の０．７倍の径と軸上光束の最大径の間の任意の点(2) における法線が光軸に最も近づく光軸上の点までの距離、ｎa2’は第２レンズ群の最も物体側に配置されているレンズの屈折率、ｈ2 は前記点(2) の光軸からの高さ、ｆ3 は第３レンズ群の焦点距離、ＩＨは像高である。
【請求項９】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群を構成するレンズは全て物体側に凸のメニスカスレンズであり、かつ、以下の条件式を満たすことを特徴とするズームレンズ。
１. ２＜ｆ1-N ／ｆ2-N ＜２. ７                        ・・・（５）
ただし、ｆ1-N は第１レンズ群の最も物体側の凹レンズの焦点距離、ｆ2-N は第１レンズ群の物体側より２番目の凹レンズの焦点距離である。
【請求項１０】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群を構成するレンズは全て物体側に凸のメニスカスレンズであり、かつ、以下の条件式（８）を満たすことを特徴とするズームレンズ。
−１. ３５＜ｆ1 ／ｆ3 ＜−０. ４                      ・・・（８）
ただし、ｆ1 は第１レンズ群の焦点距離、ｆ3 は第３レンズ群の焦点距離である。
【請求項１１】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第３レンズ群は１枚のレンズからなり、前記第２レンズ群は、物体側より順に、正レンズ、正負の接合レンズ、正レンズからなり、前記第２レンズ群の最も物体側の面に条件式（７）を満足する非球面を用いたことを特徴とするズームレンズ。
−１＜（１／ｒa2−１／ｒm2）ｈ2 ／（１−ｎa2’）＜０  ・・・（７）
ただし、ｒa2は第２レンズ群の最も物体側に配置されている非球面ＩＩの近軸曲率半径、ｒm2は、光軸と第２レンズ群に配置されている該非球面ＩＩの交点から、該非球面ＩＩ上の軸上光束の最大径の０．７倍の径と軸上光束の最大径の間の任意の点(2) における法線が光軸に最も近づく光軸上の点までの距離、ｎa2’は第２レンズ群の最も物体側に配置されているレンズの屈折率、ｈ2 は前記点(2) の光軸からの高さである。
【請求項１２】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第３レンズ群は１枚のレンズからなり、前記第２レンズ群は、物体側より順に、正レンズ、正負の接合レンズ、正レンズからなり、前記第２レンズ群の最も像面側のレンズは像面側に凸のメニスカスレンズであり、以下の条件式（９）を満たすことを特徴とするズームレンズ。
２. ７＜Σ2g／ＩＨ＜４. ７                            ・・・（９）
ただし、Σ2gは開口絞りから第２レンズ群の最も像面側の面までの光軸上での距離、ＩＨは像高である。
【請求項１３】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第３レンズ群は１枚のレンズからなり、前記第２レンズ群は、物体側より順に、正レンズ、正負の接合レンズ、正レンズからなり、前記第２レンズ群の最も像面側のレンズは像面側に凸のメニスカスレンズであり、以下の条件式（４）を満たすことを特徴とするズームレンズ。
０．４＜ｆ3 ／ｆt ＜２．５                            ・・・（４）
ただし、ｆ3 は第３レンズ群の焦点距離、ｆt は望遠端での全系での焦点距離である。
【請求項１４】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第３レンズ群は１枚のレンズからなり、前記第２レンズ群は、物体側より順に、正レンズ、正負の接合レンズ、正レンズからなり、前記第２レンズ群の最も像面側のレンズは像面側に凸のメニスカスレンズであり、前記第１レンズ群の最も物体側から少なくとも２枚のレンズは負のレンズであり、以下の条件式（５）を満たすことを特徴とするズームレンズ。
１. ２＜ｆ1-N ／ｆ2-N ＜２. ７                        ・・・（５）
ただし、ｆ1-N は第１レンズ群の最も物体側の凹レンズの焦点距離、ｆ2-N は第１レンズ群の物体側より２番目の凹レンズの焦点距離である。
【請求項１５】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第３レンズ群は１枚のレンズからなり、前記第２レンズ群は、物体側より順に、正レンズ、正負の接合レンズ、正レンズからなり、前記第２レンズ群の最も像面側のレンズは像面側に凸のメニスカスレンズであり、以下の条件式（６）を満たすことを特徴とするズームレンズ。
２＜ｆ3 ／ＩＨ＜１２                                  ・・・（６）
ただし、ｆ3 は第３レンズ群の焦点距離、ＩＨは像高である。
【請求項１６】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第３レンズ群は１枚のレンズからなり、前記第２レンズ群は、物体側より順に、正レンズ、正負の接合レンズ、正レンズからなり、前記接合レンズの正レンズと負レンズの厚さの比が、以下の条件式（１０）を満たし、かつ、以下の条件式（４）を満たすことを特徴とするズームレンズ。
１. ９＜ｄce1 ／ｄce2 ＜１２                              （１０）
０．４＜ｆ3 ／ｆt ＜２．５                            ・・・（４）
ただし、ｄce1 は第２レンズ群の接合レンズの凸レンズの厚さ、ｄce2 は第２レンズ群の接合レンズの凹レンズの厚さ、ｆ3 は第３レンズ群の焦点距離、ｆt は望遠端での全系での焦点距離である。
【請求項１７】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第３レンズ群は１枚のレンズからなり、前記第２レンズ群は、物体側より順に、正レンズ、正負の接合レンズ、正レンズからなり、前記接合レンズの正レンズと負レンズの厚さの比が、以下の条件式（１０）を満たし、かつ、第１レンズ群の最も物体側から少なくとも２枚のレンズは負のレンズであり、以下の条件式（５）を満たすことを特徴とするズームレンズ。
１. ９＜ｄce1 ／ｄce2 ＜１２                              （１０）
１. ２＜ｆ1-N ／ｆ2-N ＜２. ７                        ・・・（５）
ただし、ｄce1 は第２レンズ群の接合レンズの凸レンズの厚さ、ｄce2 は第２レンズ群の接合レンズの凹レンズの厚さ、ｆ1-N は第１レンズ群の最も物体側の凹レンズの焦点距離、ｆ2-N は第１レンズ群の物体側より２番目の凹レンズの焦点距離である。
【請求項１８】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第３レンズ群は１枚のレンズからなり、前記第２レンズ群は、物体側より順に、正レンズ、正負の接合レンズ、正レンズからなり、前記接合レンズの正レンズと負レンズの厚さの比が、以下の条件式（１０）を満たし、かつ、以下の条件式（６）を満たすことを特徴とするズームレンズ。
１. ９＜ｄce1 ／ｄce2 ＜１２                              （１０）
２＜ｆ3 ／ＩＨ＜１２                                  ・・・（６）
ただし、ｄce1 は第２レンズ群の接合レンズの凸レンズの厚さ、ｄce2 は第２レンズ群の接合レンズの凹レンズの厚さ、ｆ3 は第３レンズ群の焦点距離、ＩＨは像高である。
【請求項１９】
物体側より順に、負のパワーを持つ第１レンズ群、開口絞り、正のパワーを持つ第２レンズ群、正のパワーを持つ第３レンズ群からなり、第１レンズ群と第２レンズ群が光軸上を移動し、また、第３レンズ群を固定して第１レンズ群、第２レンズ群、第３レンズ群のそれぞれの間隔を変化させることにより変倍を行い、前記変倍に際して前記絞りは前記第２レンズ群と一体となって移動し、前記第１レンズ群は、物体側より順に、負レンズ、負レンズ、正レンズからなり、前記第３レンズ群は条件式（２）を満足する物体側に非球面を持つ１枚のレンズからなることを特徴とするズームレンズ。
−１＜（１／ｒa3−１／ｒm3）ｈ3 ／（ｎa3−ｎa3’）＜０・・・（２）
ただし、ｒa3は第３レンズ群に配置されている非球面III の近軸曲率半径、ｒm3は、光軸と第３レンズ群に配置されている該非球面III の交点から、該非球面III 上の軸上光束の最大径と軸外光束を含めた有効径の間の任意の点(3) における法線が光軸に最も近づく光軸上の点までの距離、ｎa3は該非球面III の物体側の屈折率、ｎa3’は該非球面III の像側の屈折率、ｈ3 は前記点(3) の光軸からの高さである。